(57)【要約】【課題】利用者に違和感を与えることなく、ベッドの傾斜角度を所定の角度に調整することができるベッドを提供する。【解決手段】背ボトム２１を有するベッド１０であって、ベッド１０において、ベッド１０の利用者の頭部に対応する位置に設けられ、背ボトム２１に回転可動に連結された頭部ボトム２５と、頭部ボトム２５の背ボトム２１に対する角度を調整する角度調整部である係止部３１ａおよび３１ｂと係止棒３５とを備え、頭部ボトム２５は、平面視したときに、頭部ボトム２５の外周の一部が、ベッド１０の、利用者の頭部が配置される側の端部の一部と一致し、頭部ボトム２５の外周の一部を除く他の外周が背ボトム２１に囲まれている。【選択図】図２
2015202380.tif 000002
【特許請求の範囲】
【請求項１】
背ボトムを有するベッドであって、
前記ベッドにおいて、前記ベッドの利用者の頭部に対応する位置に設けられ、前記背ボトムに回転可動に連結された頭部ボトムと、
前記頭部ボトムの前記背ボトムに対する角度を調整する角度調整部とを備え、
前記頭部ボトムは、平面視したときに、前記頭部ボトムの外周の一部が、前記ベッドの、利用者の頭部が配置される側の端部の一部と一致し、前記頭部ボトムの外周の前記一部を除く他の外周が前記背ボトムに囲まれている
ベッド。
【請求項２】
前記角度調整部は、
前記頭部ボトムに設けられた係止片と、
前記背ボトムに設けられ、前記係止片を引っ掛けるための係止棒とを有する
請求項１に記載のベッド。
【請求項３】
前記係止片は、前記頭部ボトムを第１の角度に設定する第１の窪みと、前記頭部ボトムを第２の角度に設定する第２の窪みとを有し、
前記頭部ボトムは、前記係止棒が前記第１の窪みに配置されることにより第１の角度に設定され、前記係止棒が前記第２の窪みに配置されることにより第２の角度に設定される
請求項１または２に記載のベッド。
【請求項４】
前記角度調整部は、前記頭部ボトムを所定の角度に持ち上げて支持する支持棒を備える
請求項１に記載のベッド。
【請求項５】
前記角度調整部は、さらに、前記支持棒を保持する支持溝を有する
請求項４に記載のベッド。
【請求項６】
前記支持溝は、前記支持棒を固定するストッパを有する
請求項５に記載のベッド。
【請求項７】
前記支持棒は、前記頭部ボトムを第１の角度に設定する第１の支持棒と、前記頭部ボトムを第２の角度に設定する第２の支持棒とを有する
請求項４に記載のベッド。
【請求項８】
前記支持溝は、前記第１の支持棒を保持する第１の支持溝と、前記第２の支持棒を保持する第２の支持溝とを有する
請求項５に記載のベッド。
【発明の詳細な説明】
【技術分野】
【０００１】
本発明は、ベッドに関し、特に、頭部ボトムを備えるベッドに関する。
【背景技術】
【０００２】
近年、主に患者や被介護者のために病院及び家庭で用いられるベッド及び電動ベッドが普及している。これらのベッドは、利用者の体を支持するボトムと、そのボトムの姿勢及び高さを調節する調節機構とが備えられている。これらのベッドにおいて、ボトムは、例えば、背ボトム、腰ボトム、膝ボトムおよび足ボトムに分割され、それぞれ順次屈曲可能に連結されている。そして、それぞれのボトムや連結部分を変位させることにより、ベッドの姿勢を変化させるものである。
【０００３】
このようなベッドでは、簡単な操作で、ボトムの姿勢及び高さを所望の位置に調節できるように、様々な工夫が提案されている（例えば、特許文献１、２参照）。
【０００４】
特許文献１では、例えば、患者や被介護者などのベッドの利用者が、上半身を起こす必要のあるときに、背ボトムの傾斜を調整して所定の姿勢を取ることができるベッドについて開示されている。
【０００５】
特許文献２では、背ボトムを、利用者の頭に近い上側の領域と腰に近い下側の領域とに分離し、それぞれの領域において姿勢を変更することが可能なベッドについて開示されている。
【先行技術文献】
【特許文献】
【０００６】
【特許文献１】特開２００１−１９８１６４号公報
【特許文献２】特開平１１−２９０３９３号公報
【発明の概要】
【発明が解決しようとする課題】
【０００７】
特許文献１に開示されているベッドでは、利用者の背中と頭部は、いずれも背ボトムに配置されており、背ボトムを所定の角度に傾斜させるときに、利用者の背中と頭部は、同じ角度で傾斜される。したがって、利用者は、頭部のみが後ろに下がったような違和感を覚えることがある。また、食事をするときに嚥下障害のある利用者は、一般的に背ボトムと頭部との間にパッドまたは枕を載置しているが、背ボトムを傾斜させると、パッドや枕が傾斜に沿ってずれ易いという問題がある。
【０００８】
また、特許文献２に開示されているベッドでは、背ボトムの上側の領域と下側の領域のそれぞれにおいてボトムの傾斜が変更されるものの、背ボトムの上側の領域または下側の領域のいずれも、ベッド幅分のボトムの傾斜が変更されるため、傾斜の変更を行うのが煩雑である。また、ベッド幅分のボトムの傾斜が変更されるため、利用者に違和感を与えることになる。
【０００９】
そこで、本発明は、利用者に違和感を与えることなく、ベッドの傾斜角度を所定の角度に調整することができるベッドを提供することを目的とする。
【課題を解決するための手段】
【００１０】
上記目的を達成するために、本発明に係るベッドの一形態は、背ボトムを有するベッドであって、前記ベッドにおいて、前記ベッドの利用者の頭部に対応する位置に設けられ、前記背ボトムに回転可動に連結された頭部ボトムと、前記頭部ボトムの前記背ボトムに対する角度を調整する角度調整部とを備え、前記頭部ボトムは、平面視したときに、前記頭部ボトムの外周の一部が、前記ベッドの、利用者の頭部が配置される側の端部の一部と一致し、前記頭部ボトムの外周の前記一部を除く他の外周が前記背ボトムに囲まれている。
【発明の効果】
【００１１】
本発明に係るベッドにより、利用者に違和感を与えることなく、ベッドの傾斜角度を所定の角度に調整することができるベッドを提供することができる。
【図面の簡単な説明】
【００１２】
【図１】実施の形態１にかかるベッドの外観図
【図２】同ベッドが備える頭部ボトムおよび背ボトムの構成を示す斜視図
【図３】図２に示した頭部ボトムの一部を拡大した斜視図
【図４】図２に示した頭部ボトムの一部を拡大した平面図
【図５】頭部ボトムの動作を示す概略図であり、頭部ボトムを背ボトムに収納した状態を示す概略図
【図６】頭部ボトムの動作を示す概略図であり、頭部ボトムを背ボトムに対して第１の角度に調整した状態を示す概略図
【図７】頭部ボトムの動作を示す概略図であり、頭部ボトムを背ボトムに対して第２の角度に調整した状態を示す概略図
【図８】実施の形態２にかかるベッドが備える頭部ボトムの構成を示す斜視図
【図９】図８のＡＡ’線における断面図
【図１０】頭部ボトムの動作を示す概略図であり、頭部ボトムが背ボトムに収納された状態を示す概略図
【図１１】頭部ボトムの動作を示す概略図であり、頭部ボトムが背ボトムに対して第１の角度に設定された状態を示す概略図
【図１２】頭部ボトムの動作を示す概略図であり、頭部ボトムが背ボトムに対して第２の角度に設定された状態を示す概略図
【発明を実施するための形態】
【００１３】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１４】
（実施の形態１）
図１は、本発明の実施の形態におけるベッド１０の外観図である。このベッド１０は、病院及び家庭等で使用されるベッドである。ベッド１０は、人体を支持するボトム２０と、ボトム２０を載置して支持する支持台１１とを備えている。
【００１５】
ボトム２０は、背ボトム２１と、腰ボトム２２と、膝ボトム２３と、足ボトム２４と頭部ボトム２５とを備えている。背ボトム２１、腰ボトム２２、膝ボトム２３、足ボトム２４および頭部ボトム２５は、蝶番等で回動可能に順次、連結されている。
【００１６】
頭部ボトム２５とは、ベッド１０の利用者の頭部を載置して支えるためのボトムである。図１に示すように、背ボトム２１には、ベッド１０の、利用者の頭部が配置される側（頭側）の端部の中央部分から利用者の足部が配置される側（足側）の方向に、凹部が形成されている。頭部ボトム２５は、当該凹部に設けられている。すなわち、頭部ボトム２５は、ベッド１０を平面視したときに、頭部ボトム２５の外周の一部が、ベッド１０の、利用者の頭部が配置される側の端部の一部と一致し、この一部を除く他の外周が背ボトム２１に囲まれている。
【００１７】
頭部ボトム２５は、当該凹部の形状と略同一の板状部材からなるボトムである。頭部ボトム２５は、上述した凹部の底部に相当する部分の背ボトム２１と、蝶番３０により回動可能に連結されている。
【００１８】
図２は、頭部ボトム２５および背ボトム２１の構成を示す斜視図、図３は、図２に示した頭部ボトム２５の一部を拡大した斜視図、図４は、図２に示した頭部ボトム２５の一部を拡大した平面図である。図２において、頭部ボトム２５は、裏面側の構成が見えるように、背ボトム２１に収納した状態から開いた状態で示されている。なお、以下、背ボトム２１および頭部ボトム２５において、人体を支持する側の面を表面、当該表面と反対側の面を裏面と呼ぶこととする。また、ベッド１０において、背ボトム２１および頭部ボトム２５の表面が配置される方向を上方向、裏面が配置される方向を下方向と呼ぶこととする。
【００１９】
図２に示すように、頭部ボトム２５は、裏面に、係止部３１ａおよび３１ｂと連結部材３２とを備えている。なお、「係止」とは、引っかかって静止している状態をいうものとする。すなわち、「係止部は、係止棒に係止される」とは、係止部が係止棒に引っ掛かって静止している状態をいう。
【００２０】
係止部３１ａおよび３１ｂは、ベッド１０の長辺側と略平行する、頭部ボトム２５の対向する一組の辺にそれぞれ設けられている。係止部３１ａおよび３１ｂは、鉄等の金属で形成されている。係止部３１ａおよび３１ｂは、それぞれ、頭部ボトム２５に蝶番等により回動可能に設けられている。
【００２１】
なお、係止部３１ａおよび３１ｂは、頭部ボトム２５の、背ボトム２１と連結された側に向けて所定角度以上回転しないように、回転角度が規制されている。具体的には、図３に示すように、頭部ボトム２５を背ボトム２１から開いた状態のときに、係止部３１ａおよび３１ｂが、自重で頭部ボトム２５の裏面に対して略直角の角度よりも下方向には回転しないように規制部材（図示せず）が設けられている。
【００２２】
また、図２に示したように、係止部３１ａおよび３１ｂは、連結部材３２により連結されている。これにより、係止部３１ａおよび３１ｂは、同時に同一方向に回転される。
【００２３】
さらに、図４に示すように、係止部３１ａは、第１の爪３３ａと、第２の爪３３ｂと、第３の爪３３ｃとを有している。第１の爪３３ａおよび第２の爪３３ｂは、先端が係止部３１ａの先端方向に向かうように形成されている。第３の爪３３ｃは、係止部３１ａの先端において、第３の爪３３ｃの先端が頭部ボトム２５の裏面側に向かうように形成されている。
【００２４】
第１の爪３３ａと第２の爪３３ｂとの間には、第１の窪み３４ａが形成されている。第１の窪み３４ａは、係止棒３５が配置可能な大きさに形成されている。同様に、第２の爪３３ｂと第３の爪３３ｃとの間には、第２の窪み３４ｂが形成されている。第２の窪み３４ｂは、係止棒３５が配置可能な大きさに形成されている。なお、係止棒３５については、後に詳述する。
【００２５】
以上のような構成により、係止部３１ａは、係止棒３５に安定して係止される。なお、係止部３１ｂの構成は係止部３１ａと同様であるため、説明を省略する。
【００２６】
また、図２に示したように、背ボトム２１に形成された凹部の、頭部ボトム２５が連結されていない側の一辺には、頭部ボトム２５を載置して支持するための支持部２１ａが設けられている。支持部２１ａは、背ボトム２１の表面から、頭部ボトム２５の厚さ分低い高さに形成されている。したがって、支持部２１ａの上に頭部ボトム２５が載置された状態では、頭部ボトム２５の表面と背ボトム２１の表面は面一となる。
【００２７】
当該凹部には、平面視したときに支持部２１ａと重ならない位置に、支持部２１ａと平行するように係止棒３５が設けられている。すなわち、ベッド１０の長辺と略平行する、凹部の対向する一組の辺を連結するように、係止棒３５が配置されている。係止棒３５は、係止部３１ａおよび３１ｂと対応する位置に配置されている。
【００２８】
なお、係止部３１ａおよび３１ｂは、それぞれ本発明における第１の係止片および第２の係止片に相当する。また、係止部３１ａおよび３１ｂと係止棒３５とは、本発明の角度調整部に相当する。
【００２９】
次に、頭部ボトム２５の動作について説明する。図５〜図７は、本実施の形態にかかるベッド１０の頭部ボトム２５の動作状態を示す概略図である。なお、頭部ボトム２５の動作を分かり易くするために、図５〜図７においては、頭部ボトム２５、係止部３１ａおよび係止棒３５以外の構成を破線で示している。また、以下においては、背ボトム２１が水平状態である場合に、頭部ボトム２５を移動させる動作について説明する。
【００３０】
図５は、頭部ボトム２５が背ボトム２１に収納された状態を示す概略図である。
【００３１】
図５に示すように、頭部ボトム２５が背ボトム２１に収納された状態では、頭部ボトム２５の表面と背ボトム２１の表面との角度θは０°である。頭部ボトム２５は、支持部２１ａの上に載置されている。
【００３２】
このとき、係止部３１ａは、図５に示すように、支持部２１ａと係止棒３５との間に配置される。係止部３１ａは、自重により頭部ボトム２５に対して略垂直に配置される。係止部３１ａは、第１の爪３３ａよりも頭部ボトム２５側の位置において、係止棒３５と接触している。
【００３３】
図６は、頭部ボトム２５が背ボトム２１に対して第１の角度に設定された状態を示す概略図である。ここで、第１の角度とは、例えば、頭部ボトム２５の表面と背ボトム２１の表面との角度θが５°の場合である。
【００３４】
頭部ボトム２５が背ボトム２１に収納された状態から、頭部ボトム２５の、背ボトム２１に連結されていない側の端を持ち上げる。すると、頭部ボトム２５は背ボトム２１に連結された側の表面の端を中心に回転移動する。このとき、図５に示したように、第１の爪３３ａよりも頭部ボトム２５側で係止部３１ａに接触している係止棒３５は、係止部３１ａに沿って第１の爪３３ａ側に移動する。係止棒３５は、第１の爪３３ａの先端まで移動すると、頭部ボトム２５および係止部３１ａの自重により、第１の窪み３４ａに移動する。さらに、係止棒３５は、図６に示すように、頭部ボトム２５および係止部３１ａの自重により第１の窪み３４ａに嵌る。以上の動作により、頭部ボトム２５の表面と背ボトム２１の表面との角度θは、第１の角度に保持される。
【００３５】
図７は、頭部ボトム２５が背ボトム２１に対して第２の角度に設定された状態を示す概略図である。ここで、第２の角度とは、例えば、頭部ボトム２５の表面と背ボトム２１の表面との角度θが１０°の場合である。
【００３６】
頭部ボトム２５が背ボトム２１対して第１の角度で配置された状態から、さらに、頭部ボトム２５の、背ボトム２１に連結されていない側の端を持ち上げる。すると、頭部ボトム２５は、背ボトム２１に連結された側の表面の端を中心にさらに回転移動する。このとき、図６に示したように、第１の窪み３４ａに嵌っている係止棒３５は、係止部３１ａに沿って第２の爪３３ｂ側に移動する。係止棒３５は、第２の爪３３ｂの先端まで移動すると、頭部ボトム２５および係止部３１ａの自重により、第２の窪み３４ｂに移動する。さらに、係止棒３５は、図７に示すように、頭部ボトム２５および係止部３１ａの自重により第２の窪み３４ｂに嵌る。以上の動作により、頭部ボトム２５の表面と背ボトム２１の表面との角度θは、第２の角度に保持される。
【００３７】
なお、係止部３１ａの大きさおよび形状は、第１の角度がθ＝５°、第２の角度がθ＝１０°となるように予め形成されている。
【００３８】
さらに、頭部ボトム２５が背ボトム２１に対して第１の角度または第２の角度に設定された状態から、頭部ボトム２５が背ボトム２１に収納された状態に戻す動作について説明する。
【００３９】
頭部ボトム２５を背ボトム２１に収納する場合には、まず、頭部ボトム２５の、背ボトム２１に連結されていない側の端が持ち上げられる。そして、係止部３１ａが、頭部ボトム２５の、背ボトム２１に連結されていない側に回転移動される。これにより、係止部３１ａと係止棒３５との係止が解除される。係止部３１ａと係止棒３５との係止が解除された状態で、さらに、頭部ボトム２５が持ち下げられる。そして、頭部ボトム２５は、支持部２１ａに載置される。以上の動作により、図５に示したように、頭部ボトム２５が背ボトム２１に収納された状態となる。
【００４０】
なお、上記した構成では、第１の係止部３１ａについて説明したが、第１の係止部３１ａと第２の係止部３１ｂとは同一の形状を有し、連結部材３２によって連結されているため、同一の回転角度で動作される。したがって、第２の係止部３１ｂの動作については説明を省略する。
【００４１】
以上のように、本実施の形態におけるベッド１０によれば、ベッド１０において、ベッド１０の利用者の頭部に対応する位置に設けられ、背ボトム２１に回転可動に連結された頭部ボトム２５と、頭部ボトム２５の背ボトム２１に対する角度を調整する角度調整部である第１の係止部３１ａ、第２の係止部３１ｂおよび係止棒３５とを備え、頭部ボトム２５は、平面視したときに、頭部ボトム２５の外周の一部が、ベッド１０の、利用者の頭部が配置される側の端部の一部と一致し、頭部ボトム２５の外周の一部を除く他の外周が背ボトム２１に囲まれている。
【００４２】
この構成によれば、背ボトム２１に連結され回転自在に角度調整することができる頭部ボトム２５を備えるため、背ボトム２１の表面に対する頭部ボトム２５の表面の角度を調整することができる。これにより、利用者に違和感を与えることなく、ベッドの傾斜角度を所定の角度に調整することができる。
【００４３】
なお、上記した構成では、第１の角度がθ＝５°、第２の角度がθ＝１０°となるように、係止部３１ａの大きさおよび形状が予め形成されているが、第１の角度および第２の角度は、他の角度であってもよい。
【００４４】
また、上記した構成では、係止部３１ａおよび３１ｂは、第１の窪み３４ａおよび第２の窪み３４ｂを備えていたため、頭部ボトム２５は収納状態、第１の角度および第２の角度の３つの状態に調整することができたが、係止部３１ａおよび３１ｂは、２つの窪みを有していることに限らず、１つの窪みを有していたり、３つ以上のくぼみを有していたりしてもよい。このように、係止部に設けられる窪みの数を調整することにより、頭部ボトム２５の角度調整をより細かく行うことができる。
【００４５】
また、上記した構成では、頭部ボトム２５は、２つの係止部３１ａおよび３１ｂを備えていたが、係止部の数は２つに限らず、１つであってもよいし、３つ以上であってもよい。
【００４６】
また、上記した構成では、頭部ボトム２５の角度調整を手動で行っているが、頭部ボトム２５の角度調整は電動で行ってもよい。その際、頭部ボトム２５以外の他のボトムの動作と連動して動作させる構成であってもよい。
【００４７】
（実施の形態２）
次に、実施の形態２について説明する。本実施の形態にかかるベッドが実施の形態１にかかるベッド１０と異なる点は、本実施の形態にかかるベッドが、実施の形態１で示した係止部３１ａおよび３１ｂと係止棒３５との代わりに、支持棒と支持溝を備える点である。
【００４８】
以下、本実施の形態にかかるベッド１００について、図８〜図１２を用いて説明する。
【００４９】
本実施の形態にかかるベッド１００は、実施の形態１に示したベッド１０と同様、ボトムと、ボトムを載置して支持する支持台とを備えている。また、ボトムは、背ボトム１２１と、腰ボトム２２と、膝ボトム２３と、足ボトム２４（図１参照）と、頭部ボトム１２５とを備えている。背ボトム１２１、腰ボトム２２、膝ボトム２３、足ボトム２４および頭部ボトム１２５は、蝶番等で回動可能に順次、連結されている。
【００５０】
図８は、本実施の形態にかかるベッド１００が備える頭部ボトム１２５の構成を示す斜視図である。図９は、図８のＡＡ’線における断面図である。
【００５１】
図８に示すように、頭部ボトム１２５は、裏面に、第１の支持棒１３１および第２の支持棒１３２と、第１の溝１３３および第２の溝１３４とを備えている。
【００５２】
第１の支持棒１３１は、金属またはプラスチックで構成されている。第１の支持棒１３１は、湾曲部を２箇所有している。湾曲部では、第１の支持棒１３１は、略垂直に湾曲されている。当該２箇所の湾曲部の間では、第１の支持棒１３１は、直線状の形状を有している。
【００５３】
また、第１の支持棒１３１は、両端が蝶番等により頭部ボトム１２５に接続されている。このとき、第１の支持棒１３１は、頭部ボトム１２５に対して回転可能に接続されている。なお、第１の支持棒１３１は、頭部ボトム１２５の、背ボトム１２１と連結された側に向けて所定角度以上回転しないように、回転角度が規制されている。具体的には、図８に示すように、頭部ボトム１２５を背ボトム１２１から開いた状態のときに、第１の支持棒１３１の自重で頭部ボトム１２５の裏面に対して略直角の角度よりも下側には回転しないように規制部材（図示せず）が設けられている。
【００５４】
第２の支持棒１３２は、第１の支持棒１３１と略同一の形状を有している。第２の支持棒１３２は、第１の支持棒１３１に対して相似形の形状を有している。ただし、第２の支持棒１３２の直径は、第１の支持棒１３１の直径と同一である。
【００５５】
ここで、第１の支持棒１３１と第２の支持棒１３２との位置関係について説明する。第１の支持棒１３１と第２の支持棒１３２は、第１の支持棒１３１の両端と第２の支持棒１３２の両端とが一直線状となるように頭部ボトム１２５に配置されている。第１の支持棒１３１の両端と第２の支持棒１３２の両端とが並んだ直線は、頭部ボトム１２５の、背ボトム２１に連結されていない側の端に平行である。また、第１の支持棒１３１の外周を第２の支持棒１３２が囲むように第１の支持棒１３１と第２の支持棒１３２とが配置されている。
【００５６】
第１の溝１３３は、第１の支持棒１３１が収納される溝であり、頭部ボトム１２５の裏面において、第１の支持棒１３１と同一の形状を有するように、頭部ボトム１２５に凹状に形成されている。すなわち、頭部ボトム１２５を平面視したときに、第１の溝１３３は、湾曲部を２箇所有している。当該２箇所の湾曲部の間では、第１の溝１３３は、直線状の形状を有している。
【００５７】
第２の溝１３４は、第２の支持棒１３２が収納される溝であり、第１の溝１３３に対して相似形の形状を有している。ただし、第２の溝１３４の溝の深さおよび幅は、第１の溝１３３の深さ及び幅と同一である。
【００５８】
ここで、第１の溝１３３と第２の溝１３４との位置関係について説明する。第１の溝１３３と第２の溝１３４は、第１の溝１３３の両端と第２の溝１３４の両端とが一直線状となるように形成されている。第１の溝１３３の両端と第２の溝１３４の両端とが並んだ直線は、頭部ボトム１２５の、背ボトム２１に連結されていない側の端に平行である。また、第１の溝１３３の外周を第２の溝１３４が囲むように第１の溝１３３と第２の溝１３４とが形成されている。
【００５９】
さらに、背ボトム１２１に形成された凹部の、頭部ボトム１２５が連結されていない側の一辺には、頭部ボトム１２５を載置して支持するための支持部１２１ａが設けられている。支持部１２１ａは、背ボトム１２１の表面から、頭部ボトム１２５の厚さ分低い高さに形成されている。したがって、支持部１２１ａの上に頭部ボトム１２５が載置された状態では、頭部ボトム１２５の表面と背ボトム１２１の表面は面一となる。
【００６０】
支持部１２１ａには、第１の支持溝１３５および第２の支持溝１３６が形成されている。この構成によれば、第１の支持棒１３１と第２の支持棒１３２は、第１の支持溝１３５および第２の支持溝１３６に保持されるので、頭部ボトム１２５の角度を安定して保持することができる。また、複数の支持棒（第１の支持棒１３１と第２の支持棒１３２）と、複数の支持溝（第１の支持溝１３５および第２の支持溝１３６）とを備えるので、頭部ボトム２５を複数の角度に設定することができる。
【００６１】
図８に示すように、第１の支持溝１３５は、頭部ボトム１２５に形成された第１の支持棒１３１の位置と対応している。第１の支持溝１３５は、溝の長辺方向の長さが、第１の支持棒１３１の２つの湾曲部と２つの湾曲部の間の直線状の部分とを合わせた長さに対応している。第１の支持溝１３５には、第１の支持棒１３１の２つの湾曲部と、２つの湾曲部の間の直線状の部分とが挿入される。
【００６２】
また、第２の支持溝１３６は、頭部ボトム１２５に形成された第２の支持棒１３２の位置と対応している。第２の支持溝１３６は、溝の長辺方向の長さが、第２の支持棒１３２の２つの湾曲部と２つの湾曲部の間の直線状の部分とを合わせた長さに対応している。第２の支持溝１３６には、第２の支持棒１３２の２つの湾曲部と、２つの湾曲部の間の直線状の部分とが挿入される。
【００６３】
また、第１の支持溝１３５および第２の支持溝１３６の溝の開口の長辺の中心付近には、第１の支持棒１３１及び第２の支持棒１３２をそれぞれ保持するためのストッパ１４０が設けられている。ストッパ１４０は、平面視したときに、第１の支持溝１３５および第２の支持溝１３６の溝の開口の長辺から突出して形成されている。また、図８に示したように、第１の支持溝１３５および第２の支持溝１３６の断面形状においては、爪状に形成されている。ストッパ１４０により、第１の支持棒１３１及び第２の支持棒１３２は、第１の支持溝１３５および第２の支持溝１３６に安定して保持される。
【００６４】
なお、第１の支持溝１３５および第２の支持溝１３６と係止棒３５とは、本発明の角度調整部に相当する。
【００６５】
図９は、図８のＡＡ’線における断面図である。
【００６６】
図９に示すように、第１の支持溝１３５および第２の支持溝１３６は、断面の形状が略円形の形状を有している。より詳細には、第１の支持溝１３５および第２の支持溝１３６の開口付近には、ストッパ１４０が設けられている。これにより、ストッパ１４０を含めた第１の支持溝１３５および第２の支持溝１３６の断面形状は、第１の支持棒１３１および第２の支持棒１３２の直径と略同一の直径を有する円周の一部が欠けた形状となっている。
【００６７】
なお、第１の支持溝１３５は、第１の支持棒１３１が収納できる形状および大きさであればよい。同様に、第２の支持溝１３６は、第２の支持棒１３２が収納できる形状および大きさであればよい。例えば、第１の支持棒１３１および第２の支持棒１３２の断面形状が円である場合に、第１の支持溝および第２の支持溝の断面形状が円状であってもよいし、角状であってもよい。
【００６８】
次に、頭部ボトム１２５の動作について説明する。図１０〜図１２は、本実施の形態にかかるベッド１００の頭部ボトム１２５の動作状態を示す概略図である。なお、以下においては、背ボトム１２１が水平状態である場合に、頭部ボトム１２５を移動させる動作について説明する。
【００６９】
図１０は、頭部ボトム１２５が背ボトム１２１に収納された状態を示す概略図である。
【００７０】
図１０に示すように、頭部ボトム１２５が背ボトム１２１に収納された状態では、頭部ボトム１２５の表面と背ボトム１２１の表面との間の角度θは０°である。頭部ボトム１２５は、支持部１２１ａに載置されている。
【００７１】
このとき、第１の支持棒１３１および第２の支持棒１３２は、それぞれ第１の溝１３３および第２の溝１３４に収納されている。第１の支持棒１３１および第２の支持棒１３２が第１の溝１３３および第２の溝１３４に収納された状態で、頭部ボトム１２５は、支持部１２１ａに載置されている。
【００７２】
図１１は、頭部ボトム１２５が背ボトム１２１に対して第１の角度に設定された状態を示す概略図である。ここで、第１の角度とは、例えば、頭部ボトム１２５の表面と背ボトム１２１の表面との角度θが５°の場合である。
【００７３】
頭部ボトム１２５が背ボトム１２１に収納された状態から、頭部ボトム１２５の、背ボトム１２１に連結されていない側の端を持ち上げる。すると、頭部ボトム１２５は、背ボトム１２１に連結された側の表面の端を中心に回転移動する。このとき、第１の溝１３３に収納されていた第１の支持棒１３１は、自重で第１の溝１３３からベッド１００の下方向に向けて回転移動する。同様に、第２の溝１３４に収納されていた第２の支持棒１３２は、自重で第２の溝１３４からベッド１００の下方向に向けて回転移動する。
【００７４】
背ボトム１２１の表面と頭部ボトム１２５の表面との角度を徐々に大きくすると、第１の支持棒１３１は、支持部１２１ａ上に載置され、自重で第１の支持溝１３５の位置に移動する。頭部ボトム１２５の表面から所定の力が加えられることにより、第１の支持棒１３１は第１の支持溝１３５に挿入され、背ボトム１２１の表面に対する頭部ボトム１２５の表面の角度が第１の角度に保持される。
【００７５】
このとき、図１１に示すように、第１の支持棒１３１は、支持部１２１ａの表面の上には載置されず、自重で、支持部１２１ａの、ベッド１００の端側の一辺に接触して配置される。
【００７６】
図１２は、頭部ボトム１２５が背ボトム１２１に対して第２の角度に設定された状態を示す概略図である。ここで、第２の角度とは、例えば、頭部ボトム１２５の表面と背ボトム１２１の表面との角度θが１０°の場合である。
【００７７】
頭部ボトム１２５が背ボトム１２１対して第１の角度で配置された状態から、さらに、頭部ボトム１２５の、背ボトム１２１に連結されていない側の端を持ち上げる。すると、頭部ボトム１２５は、背ボトム１２１に連結された側の表面の端を中心にさらに回転移動する。
【００７８】
このとき、図１２に示すように、第１の支持棒１３１は、第１の支持溝１３５から外れ、自重で頭部ボトム１２５にぶら下がった状態となる。また、支持部１２１ａの、ベッド１００の端側の一辺に接触して配置されていた第２の支持棒１３２は、頭部ボトム１２５の持ち上げ角度が大きくなるにつれて、支持部１２１ａとの接触部分が、湾曲部の方向に移動する。そして、第２の支持棒１３２は、支持部１２１ａ上に載置される。
【００７９】
支持部１２１ａの表面に載置された第２の支持棒１３２は、頭部ボトム１２５の持ち上げ角度が大きくなるにつれて、さらに、支持部１２１ａの表面に設けられた第２の支持溝１３６の位置に移動される。頭部ボトム１２５の表面から所定の力が加えられることにより、第２の支持棒１３２は第２の支持溝１３６に挿入され、背ボトム１２１の表面に対する頭部ボトム１２５の表面の角度が第２の角度に保持される。
【００８０】
以上、本実施の形態にかかるベッド１００によると、ベッド１００は、角度調整部として、第１の支持棒および第２の支持棒と、第１の支持溝および第２の支持溝とを備えている。これにより、ベッド１００は、背ボトムに連結され回転自在に角度を調整することができる頭部ボトムを備えるため、背ボトムの表面に対する頭部ボトムの表面の角度を調整することにより、利用者に違和感を与えることなく、ベッドの傾斜角度を所定の角度に調整することができる。
【００８１】
なお、ベッド１００は、第１の支持溝と第２の支持溝とを備えていない構成とすることも可能である。
【００８２】
なお、第１の支持棒１３１、第２の支持棒１３２の大きさおよび形状は、第１の角度がθ＝５°、第２の角度がθ＝１０°となるように予め形成されている。
【００８３】
さらに、頭部ボトム１２５が背ボトム１２１に対して第１の角度または第２の角度に設定された状態から、頭部ボトム１２５が背ボトム１２１に収納された状態に戻す動作について説明する。
【００８４】
頭部ボトム１２５を背ボトム１２１に収納する場合には、まず、頭部ボトム１２５の、背ボトム１２１に連結されていない側の端が持ち上げられる。これにより、第１の支持溝１３５による第１の支持棒１３１の保持、または、第２の支持溝１３６による第２の支持棒１３２の保持が解除される。そして、第１の支持棒１３１および第２の支持棒１３２が、頭部ボトム１２５の、背ボトム１２１に連結されていない側に回転移動される。第１の支持棒１３１および第２の支持棒１３２は、第１の溝１３３および第２の溝１３４にそれぞれ収納される。
【００８５】
第１の支持棒１３１および第２の支持棒１３２が収納された状態で、さらに、頭部ボトム１２５が持ち下げられる。そして、頭部ボトム１２５は、支持部１２１ａに載置される。以上の動作により、図１０に示したように、頭部ボトム１２５が背ボトム１２１に収納された状態となる。
【００８６】
なお、第１の支持溝１３５は、第１の支持棒１３１が収納できる形状および大きさであればよい。同様に、第２の支持溝１３６は、第２の支持棒１３２が収納できる形状および大きさであればよい。例えば、第１の支持棒１３１および第２の支持棒１３２の断面形状が円である場合に、第１の支持溝および第２の支持溝の断面形状が円状であってもよいし、角状であってもよい。
【００８７】
また、第１の支持溝１３５は、第１の支持棒１３１が収納できる形状および大きさであればよい。同様に、第２の支持溝１３６は、第２の支持棒１３２が収納できる形状および大きさであればよい。例えば、第１の支持棒１３１および第２の支持棒１３２の断面形状が円である場合に、第１の支持溝および第２の支持溝の断面形状が円状であってもよいし、角状であってもよい。
【００８８】
また、ストッパ１４０は、第１の支持溝１３５および第２の支持溝１３６の開口近傍に弾性を有する材料により形成されていてもよい。また、ストッパ１４０は、第１の支持溝１３５および第２の支持溝１３６の全ての長辺に設ける必要はなく、対向する一組の長辺のうちの１辺のみに形成されてもよい。
【００８９】
以上、本実施の形態におけるベッドは、ベッドの利用者の頭部に対応する位置に頭部ボトムが設けられている。また、頭部ボトムは、背ボトムに回転可動に連結されている。また、ベッドは、頭部ボトムの背ボトムに対する角度を調整する角度調整部である係止部と係止棒とを備えている。頭部ボトムは、ベッドを平面視したときに、頭部ボトムの外周の一部が、ベッドの、利用者の頭部が配置される側の端部の一部と一致し、この一部を除く他の外周が背ボトムに囲まれている。
【００９０】
この構成によれば、背ボトムに連結され回転自在に角度調整することができる頭部ボトムを備えるため、背ボトムの表面に対する頭部ボトムの表面の角度を調整することにより、利用者に違和感を与えることなく、ベッドの傾斜角度を所定の角度に調整することができる。
【００９１】
また、ベッドは、角度調整部として、係止部と係止棒とを備えている。係止部は、２つ設けられ、２つの係止部が１つの係止棒に引っ掛けられる構成となっている。また、２つの係止部は同一の形状を有している。また、２つの係止部は、連結部材で連結されている。これにより、２つの係止部は、同時に、同一の角度で回転移動をすることができる。
【００９２】
この構成によれば、係止部が係止棒に引っ掛けられることにより、頭部ボトムの角度調整を安定して行うことができる。
【００９３】
また、係止部は、頭部ボトムを第１の角度に設定する第１の窪みと、頭部ボトムを第２の角度に設定する第２の窪みとを有している。
【００９４】
頭部ボトムは、係止棒が第１の窪みに配置されることにより第１の角度に設定され、係止棒が第２の窪みに配置されることにより第２の角度に設定される。
【００９５】
この構成によれば、係止部は、係止棒に安定して係止される。
【００９６】
また、ベッドは、角度調整部として、頭部ボトムを所定の角度に持ち上げて支持する支持棒を備えている。第１の支持棒および第２の支持棒と、第１の支持溝および第２の支持溝とを備えている。
【００９７】
また、ベッドは、支持棒を保持する支持溝を有している。支持溝は、支持部の表面に設けられている。
【００９８】
この構成によれば、支持棒が支持溝に保持されることにより、頭部ボトムの角度を安定して保持することができる。
【００９９】
また、支持溝は、支持棒を固定するためのストッパを有する。ストッパは、支持溝の開口の長辺の中央近傍に形成されている。
【０１００】
この構成によれば、支持溝は、支持棒を固定するためのストッパを備えるので、ストッパにより、支持棒をより安定して固定することができる。
【０１０１】
また、支持棒は、頭部ボトムを第１の角度に設定する第１の支持棒と、頭部ボトムを第２の角度に設定する第１の支持棒とを有する。すなわち、大きさの異なる第１の支持棒と第２の支持棒とを設けることにより、頭部ボトムの高さを変更することができる。
【０１０２】
この構成によれば、大きさの異なる第１の支持棒と第２の支持棒とにより、頭部ボトムの角度を２種類の異なる角度に変更することができる。したがって、利用者の好み、または、利用の態様に応じて角度を調整することができる。
【０１０３】
また、支持溝は、第１の支持棒を保持する第１の支持溝と、第２の支持棒を保持する第２の支持溝とを有する。第１の支持溝および第２の支持溝は、第１の支持棒および第２の支持棒の形状および大きさに合わせて、形状および大きさを変更してもよい。
【０１０４】
この構成によれば、第１の支持棒と第２の支持棒は、第１の支持溝および第２の支持溝に挿入され、保持されるので、頭部ボトムの角度を安定して保持することができる。また、第１の支持棒と第２の支持棒を、それぞれ第１の支持溝および第２の支持溝へ容易に出し入れすることができる。
【０１０５】
以上、本発明にかかるベッドについて、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【０１０６】
たとえば、上記した実施の形態では、頭部ボトムは、平面視したときに、頭部ボトムの外周の一部が、ベッドの、利用者の頭部が配置される側の端部の一部と一致し、この一部を除く他の外周が背ボトムに囲まれている構造としたが、頭部ボトムの外周の全てが背ボトムに囲まれている構造としてもよい。
【０１０７】
また、上記した実施の形態では、第１の角度がθ＝５°、第２の角度がθ＝１０°となるように、頭部ボトムの表面と背ボトムの表面との間の角度が調整されるが、第１の角度および第２の角度は、他の角度であってもよい。また、２種類の角度に限らず、さらに細かく角度を調整してもよい。
【０１０８】
また、上記した実施の形態では、係止部は、第１の窪みおよび第２の窪みを備えていたため、頭部ボトムは収納状態、第１の角度、および、第２の角度の３つの状態に調整することができたが、係止部は、２つの窪みを有していることに限らず、１つの窪みを有していたり、３つ以上の窪みを有していたりしてもよい。このように、係止部に設けられる窪みの数を調整することにより、頭部ボトムの角度調整をより細かく行うことができる。
【０１０９】
また、上記した実施の形態では、頭部ボトムは、２つの係止部を備えていたが、係止部の数は２つに限らず、１つであってもよいし、３つ以上であってもよい。
【０１１０】
また、上記した実施の形態では、頭部ボトムは、第１の支持棒および第２の支持棒を備えていたが、支持棒の数は２つに限らず、１つであってもよいし、３つ以上であってもよい。
【０１１１】
また、上記した実施の形態では、支持部は、第１の支持溝および第２の支持溝を備えていたが、支持溝の数は２つに限らず１つであってもよいし、３つ以上であってもよい。また、支持溝を備えない構成であってもよい。支持溝を１つ備える構成の場合には、複数の支持棒を１つの指示溝に共通して保持する構成としてもよい。
【０１１２】
支持溝を備えない場合には、支持部に支持棒が載置される構成であってもよいし、支持部の表面にストッパを備えることで支持部を保持する構成であってもよい。
【０１１３】
また、上記実施の形態では、頭部ボトムの角度調整を手動で行っているが、頭部ボトムの角度調整は電動で行ってもよい。その際、頭部ボトム以外の他のボトムの動作と連動して動作させる構成であってもよい。この場合、利用者がベッドの姿勢を変更し易いように、コントローラ５０（図１参照）を備えていてもよい。
【符号の説明】
【０１１４】
１０、１００  ベッド
２１、１２１  背ボトム
２１ａ、１２１ａ  支持部
２５、１２５  頭部ボトム
３１ａ、３１ｂ  係止部（係止片、角度調整部）
３３ａ  第１の爪（係止片、角度調整部）
３３ｂ  第２の爪（係止片、角度調整部）
３３ｃ  第３の爪（係止片、角度調整部）
３４ａ  第１の窪み（係止片、角度調整部）
３４ｂ  第２の窪み（係止片、角度調整部）
３５  係止棒（角度調整部）
１３１  第１の支持棒
１３２  第２の支持棒
１３５  第１の支持溝
１３６  第２の支持溝
１４０  ストッパ
【図１】
2015202380.tif 000003
【図２】
2015202380.tif 000004
【図３】
2015202380.tif 000005
【図４】
2015202380.tif 000006
【図５】
2015202380.tif 000007
【図６】
2015202380.tif 000008
【図７】
2015202380.tif 000009
【図８】
2015202380.tif 000010
【図９】
2015202380.tif 000011
【図１０】
2015202380.tif 000012
【図１１】
2015202380.tif 000013
【図１２】
2015202380.tif 000014